(57)【特許請求の範囲】
【請求項１】
搬送手段により搬送される用紙に印刷し、切断手段により印刷物単位毎に切断分離するようにして成るカッター付きプリンタであって、
前記切断手段は、カッター部と該カッター部を駆動する駆動モータを備え、予定されている用紙の切断のために前記駆動モータに流す電流値の上限を必要範囲に抑えて設定し、切断中のものの切断抵抗が予定されている用紙の切断抵抗よりも大きいか否かを検出する検出部を備え、
前記検出部は該駆動モータの電流値に基づいて前記切断抵抗を検出するように形成され、切断抵抗が増して前記設定電流値を超えたときは、該検出部で予定されている用紙の切断抵抗よりも「大きい」と判定し、
前記切断手段は、前記検出部の前記「大きい」との判定結果に基づいて、駆動モータへの電流の供給を遮断して該駆動モータを直ちに停止し、次いで駆動モータを逆転させて異物からカッターを離すと共に、該駆動モータを逆転させる際は電流値を前記設定電流値の上限を越えて供給可能に形成されていることを特徴とするカッター付きプリンタの異物切断防止装置。
【請求項２】
請求項１において、前記切断手段は専用カバーにより囲われて外部から指が到達しないように隔離されると共に、該専用カバーは、その前面部がカバー本体に着脱自在に形成されていることを特徴とするカッター付きプリンタの異物切断防止装置。
【発明の詳細な説明】
【０００１】
【発明の属する技術分野】
本発明は、搬送手段により搬送される用紙に印刷し、切断手段により印刷物単位毎に切断分離するようにして成るカッター付きプリンタの異物切断防止装置に関するものである。
【０００２】
【従来の技術】
この種のカッター付きプリンタの従来技術として、実開昭６３−１２４１４８号公報が挙げられる。このカッター付きプリンタは、レシートのような薄い連続用紙を用い、それに印刷後、パスウェイにより上下左右からガイドしつつカッター部に送り、該カッターで切断するようになっている。カッター部の用紙搬送方向の外側近傍には排出ローラが設けられている。カッターで切断された印刷物はプリンタの排出口から外部に排出されるようになっている。
【０００３】
【発明が解決しようとする課題】
しかしながら、上記従来のカッター付きプリンタは、予定されていない異物がカッター部にまで搬送された場合の問題については全く考慮されていないものであった。従って、異物が搬送され、それが予定されている用紙よりも硬くて切断抵抗が大きいプラスチックなどの場合は、先ずカッター部のパワーが増すように駆動モータの電流値が大きくなるが、それでも切断できない場合はカッターが異物に強固に食いついた状態で停止してしまう。このように強固に食いついてしまうと、異物をカッターから取り外すための作業が高負担となる問題があった。
【０００４】
また、駆動モータを逆転させて異物からカッターを外そうとしても、強固に食いついてしまうとそれも不可能になる問題があった。
【０００５】
本発明の課題は、予定されていない異物がカッター部にまで送られた場合に、硬い異物にカッターが強固に食いつかないようにして簡単に異物を取り外すことができるカッター付きプリンタの異物切断防止装置を提供することにある。
【０００６】
【課題を解決するための手段】
上記課題を達成するために、本願請求項１に記載の発明に係るプリンタの異物切断防止装置は、搬送手段により搬送される用紙に印刷し、切断手段により印刷物単位毎に切断分離するようにして成るカッター付きプリンタであって、前記切断手段は、カッター部と該カッター部を駆動する駆動モータを備え、予定されている用紙の切断のために前記駆動モータに流す電流値の上限を必要範囲に抑えて設定し、切断中のものの切断抵抗が予定されている用紙の切断抵抗よりも大きいか否かを検出する検出部を備え、前記検出部は該駆動モータの電流値に基づいて前記切断抵抗を検出するように形成され、切断抵抗が増して前記設定電流値を超えたときは、該検出部で予定されている用紙の切断抵抗よりも「大きい」と判定し、前記切断手段は、前記検出部の前記「大きい」との判定結果に基づいて、駆動モータへの電流の供給を遮断して該駆動モータを直ちに停止し、次いで駆動モータを逆転させて異物からカッターを離すと共に、該駆動モータを逆転させる際は電流値を前記設定電流値の上限を越えて供給可能に形成されていることを特徴とするものである。
【０００７】
本発明によれば、切断抵抗の大きい異物が誤って送られた場合は、前記検出部によってそれが直ぐに判り、同時に切断手段の駆動が停止されるので、カッター部が硬い異物に強固に食いついた状態になるのを未然に防止することができる。従って、異物の取り外しも容易に行える。
【０００８】
また、駆動モータの電流値の増加によって硬い異物の誤送が簡単に検出できるので、構造簡単にして異物の切断を未然に防止することができる。
【００１０】
更に、予定されている用紙の切断のために前記駆動モータに流す電流値の上限を必要範囲に抑えて設定してある。すなわち、本来の用紙が正しく搬送されている場合は確実に切断できるが、異物に対しては直ぐそれを判定できる程度に電流の上限値が抑えて設定されている。従って、異物が誤送された場合にほとんど食いつきが問題にならない状態で確実にカッターを止めることができる。そして、駆動モータを逆転させることにより異物からカッターを容易に離すことができる。
【００１１】
その際、本発明では駆動モータを逆転させる際は電流値を前記設定電流値の上限を越えて供給可能に形成されているので、異物の種類によって少しの食いつきでも外れにくい場合でも、駆動モータをパワーアップさせて確実に異物からカッターを外すことができる。
【００１２】
また、本願請求項４に記載の発明は、請求項１〜３のいずれかに記載されたカッター付きプリンタの異物切断防止装置において、前記切断手段は専用カバーにより囲われて外部から指が到達しないように隔離されると共に、該専用カバーは、その前面部がカバー本体に着脱自在に形成されていることを特徴とするものである。本発明によれば、専用カバーで囲われていることで用紙交換などのメンテナンス時の安全性を向させることができると共に、切断手段のカッター部に異物が誤送された場合にその異物を外部に取り出すのに、該専用カバーの前記前面部だけを外せば足りるので簡単である。
【００１３】
【発明の実施の形態】
以下、本願発明の実施の形態を図面に基づいて説明する。図１は本発明に係る異物切断防止装置を備えたカッター付きプリンタの一実施の形態を示すほぼ全体の断面図であり、図２は当該カッター付きプリンタの切断手段部分の外面斜視図であり、図３は前記切断手段部分の正面図であり、図４は前記切断手段部分の前面部を外した正面図であり、図５は切断手段の専有カバー前面部についての裏面側の斜視図である。
【００１４】
本実施の形態に係るカッター付きプリンタは、図１に示した如く、プリンタ本体の後部に連続紙であるロール紙用の給紙装置２０とハガキ等の単票紙用の給紙装置２１とが設けられている。そして、前者の給紙装置２０に保持されたロール紙から搬送される連続用紙１ａ及び後者の給紙装置２１に保持され該装置２１から搬送される単票紙（図１には省略されている）に印字部２（印字と印画を含む）により個別に印刷し、連続用紙１ａに対しては切断手段３により印刷物単位毎に切断分離し、もう一方の単票紙についてはそのままで、両用紙１ａを同一の搬送路を通過させてプリンタ外部に排出するように構成されている。なお、図において、符号２３は給紙ローラ、符号２４は単票紙用の分離パッドを示す。
【００１５】
図１に示したように、印刷前の連続用紙１ａを印字部２方向に送る紙送りローラ４が該印字部２の上流側の手前位置に設けられ、該印字部２の下流側の近傍には排出ローラ５が設けられている。該排出ローラ５は印刷された用紙１ａを先方に送り出す役割をする用紙搬送ローラであり、図示しない駆動手段により駆動されるようになっている。更に、切断手段３の下流側近傍に単票紙をプリンタ外部に送り出すための単票紙用排出ローラ６が設けられている。該単票紙用排出ローラ６は、印刷された単票紙が前記排出ローラ５の送り力を受ける位置から外れても確実にプリンタ外部に排出できるようにする役割をするものである。そのため、該単票紙用排出ローラ６は、それより搬送方向の一つ手前に配置されている前記排出ローラ５との間隔が、前記単票紙の長さより小さく設定されている。
【００１６】
単票紙用排出ローラ６は、前記の如く単票用紙をプリンタ外部に排出することを主たる役割とするものであり、連続用紙１ａのプリンタ外部への排出のためには特に無くても足りるものである。しかし、本実施の形態に係るプリンタは、連続用紙１ａ及び単票紙の両方が同一の搬送路を通過する構成のものであるため、当該単票紙用排出ローラ６の部分を、単票紙だけでなく、連続用紙１ａも実際には通過することになる。その結果、単票紙用排出ローラ６は、連続用紙１ａのプリンタ外部への排出を補助する働きをすることになる。
【００１７】
切断手段３は、カッター部として、図示しない固定手段を介して図示の位置に固定された固定下刃８と、上下動して前記固定下刃８との対で前記用紙１ａを切断する可動上刃７とを備えている。該可動上刃７は固定下刃８より用紙搬送方向の下流側に配置されている。該可動上刃７は、図４に示した如く、駆動モータ３８により上下に駆動されるようになっている。
【００１８】
この実施の形態では、可動上刃７の刃面７ａは、用紙１ａの搬送方向に向かって上昇する傾斜面に形成されており、更に固定下刃８の刃面８ａも用紙１ａの搬送方向に向かって上昇する傾斜面に形成されている。この傾斜面構造により、その切断位置より下流、すなわち可動上刃７の刃先７ｂより下流側に位置する切断済み印刷物は、前記傾斜面によって可動上刃７との刃離れが良くなり、開口１７から円滑にプリンタ外部に排出することができるようになっている。
【００１９】
更に、この実施の形態では、固定下刃８の刃面８ａは、搬送される用紙１ａのガイド部材を兼ねるように緩やかな傾斜面に形成され、その刃先８ｂの位置がちょうど用紙１ａの搬送レベル位置となるように形成されている。固定下刃８の本体の厚みは、図示の如く、可動上刃７の厚みよりも約２倍近く厚く形成され、前記刃面８ａを前記の如く緩やかな傾斜面に形成することが容易となるようになっている。
【００２０】
本実施の形態では、前記切断手段３による切断後に切断位置より上流側の用紙１の端部が上動する可動上刃７に引っかかったまま引き上げられるのを防いで用紙搬送位置に戻す用紙戻し部材９が設けられている。該用紙戻し部材９は、その作用点１０が、図示の如く前記固定下刃８の刃面８ａの上近傍であって前記可動上刃７の刃先７ｂの手前近傍に位置するように形成されている。用紙戻し部材９は、前記作用点１０が前記位置になるように、その基端においてその本体と一体の取付用切片１１によってフレーム１２に固定されている。該用紙戻し部材９を設けたことにより、連続用紙の切断後に、可動上刃７の刃先７ｂの位置より上流側に位置する用紙１ａの端部が、上動する可動上刃７に引っかかったまま一緒に引き上げられても、すぐに当該用紙戻し部材９の作用点１０が用紙１の端部を可動上刃７から外し、該用紙１ａの端部を正しい用紙搬送位置に戻すことができる。
【００２１】
本実施の形態では、図示の如く、対向する用紙案内下支え部材１３との対によりロール紙に起因する連続用紙１ａのカールを押さえる回転可能なホイール１４が設けられている。該ホイール１４は、前記用紙戻し部材９に保持されるように形成され、部品点数を増加すること無く、ロール紙のカールを押さえることができるようになっている。尚、用紙案内下支え部材１３の上流位置に、図示の如く、もう一つ別のホイール１５が設けられている。
【００２２】
図１において、符号１６は切断手段３を囲う専用カバーであり、符号１７は用紙１ａを外部に排出する開口部を示す。即ち、図２にも示したように、切断手段３は専用カバー１６により囲われ外部から指や異物等が不用意にその刃部に到達しないように隔離されている。更にその専用カバー１６の外側には図示しないプリンタカバーを有している。図３は該専用カバー１６の正面図であり、図４は図３から前面部３０を外した状態の正面図であり、且つ異物が誤送された状態を示しており、図５は前面部３０の裏面側の斜視図である。
【００２３】
この実施の形態では、図４に示した如く、切断手段３をプリンタ本体のベースフレーム３２に締結する締結部３３も前記専用カバー１６内に隔離されている。図４において、符号３４は切断手段３の本体の下端足部を示し、符号３５は専用カバー１６の下端足部を示す。図示されているように専用カバー１６の足部３５は、その突部３６を前記下端足部３４及びベースフレーム３２を貫通させ、この貫通構造と、その手前側に位置する図２に示した締結ボルト３７により一体化されている。
【００２４】
本発明に係る切断手段３は、図４に示したように、切断中のものの切断抵抗が予定されている用紙の切断抵抗よりも大きいか否かを検出する検出部３９を備えている。この予定されている用紙の切断抵抗は、その値が予め解っているため、該値は前記制御部４０内の比較演算処理部（図示せず）において予め設定されている。そして、検出部３９で切断抵抗が予定されている用紙の切断抵抗よりも大きい値が検出されたときは、制御部４０を介して駆動モータ３８が停止されるように構成されている。図４は、切断中のものが硬い異物４１である場合を示し、それが検出部３９で検出されてカッターの上刃７が直ちに停止された状態を示している。従って、上刃７は異物４１に殆ど食いついていない。
【００２５】
本実施の形態では、前記検出部３９は駆動モータ３８の電流値に基づいて前記切断抵抗を検出するように形成されている。具体的には、該切断手段３では、予定されている用紙の切断のために駆動モータ３８に流す電流値の上限Ｉupを必要範囲に抑えて設定されている。すなわち、予定されている用紙を確実に切断する視点から必要な電流値の上限Ｉupが設定されており、Ｉup以上の電流値が流れないように形成されている。そして、検出部３９で切断抵抗の増加による電流値Ｉの増加が検出され、その検出された電流値Ｉが前記設定電流値の上限Ｉupを越えたときは制御部４０を介して駆動モータ３８への電流の供給を遮断して該駆動モータ３８を直ちに停止するように形成されている。
【００２６】
次いで、制御部４０からの指令信号により駆動モータ３８を逆転させて異物４１から上刃７を離すように構成されている。ここで、駆動モータ３８を逆転させる際は、電流値を前記設定電流値の上限Ｉupを越えて、即ちＩupより大きい電流を供給可能に形成されている。
【００２７】
また、前記専用カバー１６は、その前面部３０がカバー本体に着脱自在に形成されている。そして、前記専用カバー１６の前面部３０の裏面に切断手段３を通過してくる用紙１ａを外部に排出する前記端部排出ローラ６の従動ローラ３１が設けられている。
【００２８】
当該プリンタの印刷物をプリンタ外部に排出する前記開口部１７の直下には、すなわち専用カバー１６の着脱自在な前面部３０に形成された前記開口部１７の直下には係止部材２５が一体に設けられている。該係止部材２５は、図２に示した如く、開口部１７のほぼ全長にわたる長さを有して前方に突出し、印刷物１Ａの終端縁部を係止して斜めに立て掛けた状態で保持するように設けられている。
【００２９】
本実施の形態では、前記係止部材２５の下側に、前記連続用紙１ａを切断した際に生じる廃材（図示せず）をプリンタ外部に導く廃材排出口２７が設けられている。符号２８、２９はそれぞれ廃材排出口２７の上壁面、下壁面を示す。図５に示したように専用カバー１６の前面部３０の裏面側には、前記上壁面２８の上方で且つ前記開口部１７の更に少し上方に前記単票紙用排出ローラ６を為す従動ローラであるホイール３１が配設されている。
【００３０】
次に、上記実施の形態に係るカッター付きプリンタの異物切断防止装置の作用を説明する。本実施の形態によれば、図４に示したように、切断抵抗の大きい異物４１が誤って送られた場合は、検出部３９によってそれが直ぐに判り、同時に切断手段３の駆動が停止されるので、カッター部が硬い異物４１に強固に食いついた状態になるのを未然に防止することができる。従って、異物４１の取り外しも容易に行える。
【００３１】
また、切断手段３がカッター部と該カッター部を駆動する駆動モータ３８を備え、前記検出部３９は駆動モータ３８の電流値に基づいて前記切断抵抗を検出するように形成されているものは、駆動モータ３８の電流値の増加によって硬い異物４１の誤送が簡単に検出できるので、構造簡単にして異物４１の切断を未然に防止することができる。
【００３２】
また、前記切断手段３が、予定されている用紙の切断のために駆動モータ３８に流す電流値の上限Ｉupを必要範囲に抑えて設定し、切断抵抗が増して前記設定電流値の上限Ｉupを越えたときは駆動モータ３８への電流の供給を遮断して該駆動モータ３８を直ちに停止し、次いで駆動モータ３８を逆転させて異物４１からカッターを離すと共に、該駆動モータ３８を逆転させる際は電流値を前記設定電流値の上限を越えて供給可能に形成されているものは、以下の作用効果が得られる。すなわち、本来の用紙が正しく搬送されている場合は確実に切断できるが、異物４１に対しては直ぐにそれを判定できる程度に電流の上限値Ｉupが抑えて設定されているので、異物４１が誤送された場合に殆ど食いつきが問題にならない状態で確実にカッターを止めることができる。そして、駆動モータ３８を逆転させることにより異物４１からカッターを容易に離すことがてきる。
【００３３】
その際、本実施の形態では駆動モータ３８を逆転させる際は電流値を前記設定電流値の上限Ｉupを越えて供給可能に形成されているので、異物４１の種類によって少しの食いつきでも外れにくい場合でも、駆動モータ３８をパワーアップさせて確実に異物４１からカッターを外すことができる。
【００３４】
また、前記切断手段３が専用カバー１６により囲われて外部から指が到達しないように隔離されると共に、該専用カバー１６は、その前面部３０がカバー本体に着脱自在に形成されているものは、切断手段３が専用カバー１６で囲われていることで用紙交換などのメンテナンス時にカッター部が露呈せず安全性を向させることができると共に、切断手段３のカッター部に異物４１が誤送された場合にその異物４１を外部に取り出すのに、該専用カバー１６の前面部３０だけを外せば足りるので簡単である。
【００３５】
【発明の効果】
本発明によれば、切断抵抗の大きい異物が誤って送られた場合は、前記検出部によってそれが直ぐに判り、同時に切断手段の駆動が停止されるので、カッター部が硬い異物に強固に食いついた状態になるのを未然に防止することができる。従って、異物の取り外しも容易に行える。
【００３６】
また、前記切断手段が予定されている用紙の切断のために前記駆動モータに流す電流値の上限を必要範囲に抑えて設定し、切断抵抗が増して前記設定電流値を越えたときは駆動モータへの電流の供給を遮断して該駆動モータを直ちに停止し、次いで駆動モータを逆転させて異物からカッターを離すと共に、該駆動モータを逆転させる際は電流値を前記設定電流値の上限を越えて供給可能に形成されているものは、異物が誤送された場合に殆ど食いつきが問題にならない状態で確実にカッターを止めることができる。そして、駆動モータを逆転させることにより異物からカッターから離す際に、駆動モータを逆転させるために流す電流値は前記設定電流値の上限を越えて供給可能なので駆動モータをパワーアップさせて確実に異物からカッターを外すことができる。
【図面の簡単な説明】
【図１】本発明に係る異物切断防止装置を備えたカッター付きプリンタの一実施の形態を示す断面図である。
【図２】上記実施の形態に係るカッター付きプリンタの切断手段部分の外面斜視図である。
【図３】上記切断手段部分の正面図である。
【図４】図３から前面部を外した状態の正面図であり、且つ異物が誤送された状態を示している。
【図５】上記切断手段部分の前面部の裏面側を示す斜視図である。
【符号の説明】
１ａ  連続用紙
１Ａ  印刷物
２  印字部
３  切断手段
７  可動上刃
８  固定下刃
７ａ、８ａ  刃面
７ｂ、８ｂ  刃先
９  用紙戻し部材
１０  作用点
２５  係止部材
２６  廃材
２７  廃材排出口
２８  上壁面
２９  下壁面
３０  前面部
３８  駆動モータ
３９  検出部
４０  制御部
４１  異物
【図１】
0003711513.tif 000002
【図２】
0003711513.tif 000003
【図３】
0003711513.tif 000004
【図４】
0003711513.tif 000005
【図５】
0003711513.tif 000006